(57)【特許請求の範囲】
【請求項１】
頭部と尾部、背部と腹部を有し、内部に空洞部を形成した、小魚やエビを象ったルアーの本体部において、
前記頭部側に設けた釣糸を接続するためのラインアイと、
前記本体部の重心Ｇが該ラインアイ側に位置するように固定した固定錘と、
を具備し、
前記空洞部に移動容易な粉体Ｐを封入したルアーであって、
前記腹部から前記背部方向に前記空洞部の内面に沿って仕切り壁を突出させて、該空洞部を頭部室と尾部室とに画し、
該仕切り壁の上端部と該空洞部の背部内面間に、前記粉体Ｐが通過可能な移動通路を形成すると共に、該仕切り壁に前記粉体Ｐの通路孔を設けたことを特徴とする、
本体部の重心移動可能なルアー。
【請求項２】
前記仕切り壁を頭部方向に傾斜させて突出させた、請求項１に記載の重心移動可能なルアー。
【請求項３】
前記仕切り壁の上端部から前記頭部方向に案内板を突起させて、該案内板と前記空洞部の背部内面間に、前記粉体Ｐが通過可能な移動通路を形成すると共に、
前記頭部室内に、該仕切り壁と該案内板に封止される一方で、前記頭部室側に開放された貯留スペースを形成した、請求項１又は２に記載の重心移動可能なルアー。
【請求項４】
前記仕切り壁を前記頭部側に前傾させると共に、該仕切り壁の前記背部側の表面を前記尾部室の底面から滑らかに接続させて立ち上げ、
前記本体部の沈下姿勢において、前記粉体Ｐの前記移動通路への移動を円滑化した、
請求項３に記載の重心移動可能なルアー。
【請求項５】
前記仕切り壁を前記頭部側に前傾させると共に、該仕切り壁の前記背部側の表面が前記尾部室の底面から接続する接続部に、該尾部室の底面部から急峻に立ち上がる規制壁を設け、
前記本体部の沈下姿勢において、前記粉体Ｐの前記移動通路への移動を規制した、
請求項３に記載の重心移動可能なルアー。
【請求項６】
前記粉体Ｐの粒径を３０μｍ乃至３００μｍとした、請求項１に記載の重心移動可能なルアー。
【請求項７】
前記粉体Ｐの粒径を３０μｍ乃至１００μｍとした、請求項１に記載の重心移動可能なルアー。
【請求項８】
前記移動通路幅を、２．３ｍｍ以上とした、請求項１に記載の重心移動可能なルアー。
【請求項９】
請求項１乃至８のいずれか１項に記載の重心移動可能なルアーを準備するステップと、
前記ルアーの前記ラインアイに釣糸を接続するステップと、
前記ルアーを上昇姿勢にして、前記本体部の空洞内に封入した粉体Ｐを前記尾部室に移動させるステップと、
前記ルアーを遠投して、海面に着水させるステップと、
前記着水したルアーを、沈下姿勢で海底方向に沈下させるステップと、
前記沈下したルアーを、釣竿の動作により前記釣糸を介して前記上昇姿勢とし、上昇させるステップと、
を含む、ルアーを用いた魚類釣り方法。
【発明の詳細な説明】
【技術分野】
【０００１】
本発明は、魚類の釣りに用いるルアー（疑似餌）とこれを用いた魚類釣り方法に関し、更に詳しくは、本体の重心を移動させることにより遠くまで遠投可能なルアーと、これを用いた魚類の釣り方法に関する。
【背景技術】
【０００２】
海岸や湖岸、川岸、水面に浮かべた船など、様々な場所から釣りをすることができるが、釣りの対象となる水中生物も様々であり、ターゲットとする水中生物の種類や漁場の諸条件に合わせて釣りの方法も様々考案されてきた。長い釣りの歴史の中で、特有の用語も様々に発展してきたが、本明細書では、釣りの方法や釣りの対象によって様々に異なる疑似餌の呼称を総称して「ルアー」と記載し、釣りの対象となる魚やイカ、タコなど水中生物を総称して「魚類」と記載することとする。
【０００３】
例えば、魚類としてイカを取り上げても、そのイカ釣り方法は様々あり、その１つとして、小魚やエビに似せた「餌木」と呼ばれるルアーを用いる方法がある。イカは、海中で動く小魚やエビ類などを捕食するが、特に海中をゆっくり沈下する餌によく抱き付く（以下、「食い付く」ともいう。）習性がある。上記の餌木（以下、「ルアー」という。）を用いるイカ釣り方法は、このような習性を利用してイカをルアーに抱き付かせて、イカを釣る方法である。なお、「食い付く」は「抱き付く」を含み、魚類を何らかの方法でルアーに引っ掛ける意味で用いる。
【０００４】
図９（ａ）に、釣り人２００が、例えば海３００の岸壁３１０から、ルアー１００による魚類（イカ）釣りをする様子を示す。釣り人２００は、釣竿７０の釣糸（ライン）７２の先端にルアー１００をセットして、これを海３００に向かって遠投する。海面３０４に着水したルアー１００を、例えば一旦海底３０２まで沈下させた後、釣竿７０を海面３０４方向にしゃくり上げ、ルアー１００を急浮上させる。ルアー１００が海中に沈下していく際に、釣糸（ライン）７２は通常弛んだ状態（糸ふけ）となるので、釣糸７２をゆっくり巻き取ってこの糸ふけを解消し、釣糸（ライン）７２を張った状態にしてからしゃくり上げを行うのが効果的である。
【０００５】
このように、ルアー１００を沈下させたり、釣糸７２をゆっくり巻き取って糸ふけを解消する操作を繰り返しながらイカをルアーに抱き付かせ、しゃくり上げを行ってイカを釣るので、シャクリ釣りとも呼ばれる。このシャクリ釣りでは、図９（ａ）に示すように、一般には海中でルアー１００を何度も上昇沈下させて、ルアー１００に抱き付くイカを釣り上げる機会を窺う。
【０００６】
上記のようなイカ釣りに限らず、釣り人２００の個性や感覚によって魚類釣りの方法は各々異なるものの、ルアー１００をより遠くまで遠投して最大到達距離を稼ぎ、ルアー１００を釣り人２００まで巻き取るまでの沈下及びしゃくり上げサイクルの繰返し回数を増加させた方が、一般には釣果を期待することができる。なお、以下便宜のため、ルアー１００の海底３０２方向への沈下と、沈下に続く海面３０４方向への上昇（しゃくり上げによる上昇を含む）を１サイクルとし、上記の遠投後ルアー巻き取りまでのサイクルの繰返し回数を、単に「サイクル回数」と呼ぶ。
【０００７】
図８は、典型的な従来のイカ釣り用のルアー（餌木）１００を示す図である。図８において、ルアー１００は、ルアー本体部１０、ラインアイ１２、錘１４、掛針１６、目１８、繊維状部材２０を備える。
【０００８】
ルアー本体部１０は、通常、合成樹脂や木材などで形成し、先端にラインアイ１２を設ける。ラインアイ１２は、釣糸７２をルアー本体部１０に接続するための接続部である。錘１４は鉛などで形成し、例えば頭部側の腹部など、ルアー本体部１０の腹部の頭部側に設けるのが一般的である。そのためルアー１００の重心Ｇは頭部側に位置して、ルアー１００は着水すると、頭部側を斜め下方にして海底３０２方向（図９参照）に沈下する。
【０００９】
掛針１６は、ルアー１００に抱き付いたイカを針掛けするために、ルアー本体部１０の腹部や背部や尾部などに取付ける。沈下中にイカがルアー本体部１０に抱き付けば、ルアー本体部１０をしゃくり上げる際に、抱き付いたイカを掛針１６に針掛けすることができる。また、目１８や繊維状部材２０は偽装部材であり、イカに対するアピール効果や、商品価値としての効果も持つが、繊維状部材２０は沈下過程における抵抗作用ももたらす。
【００１０】
このように、従来のルアー１００を用いたシャクリ釣りでは、錘１４を頭部側に取付けて頭部側を海底方向にして沈下させると共に、釣糸７２を先端のラインアイ１２に接続して岸壁３１０方向に引き寄せ、しゃくり上げによって海面３０４方向に急浮上させ、抱き付いたイカを掛針１６に針掛けしてイカ釣りを行う。
【００１１】
しかし、錘１４を頭部側に固定するので、重心Ｇが頭部（ラインアイ１２）側に位置することとなる。そのため、釣竿７０の釣糸７２の先端にルアー１００をセットして、これを海３００に向かって遠投げしても、釣糸７２（ラインアイ１２）側に重心Ｇが偏り、十分に遠くまでルアー１００を遠投げできないという課題があった。
【００１２】
また、重心Ｇが頭部（ラインアイ１２）側に位置するので、ルアー１００の沈下速度が速くなり過ぎると、イカがルアー本体部１０に抱き付く時間を十分に確保できなという問題があった。
【００１３】
このような従来のイカ釣り用ルアー（餌木）１００の課題を解消するため、種々の改良発明がなされている。特許文献１には、空洞体とした餌木（ルアー）の内部に小球型の移動重りを封じ込め、頭頂部寄り両側に昇降角度を制御する水中翼を設けた疑似餌が開示されている。特許文献１のルアーは、沈下姿勢において移動重りの移動により重心Ｇは頭頂部方向へ移動するが、水中翼を設けたことにより、沈下速度を抑えて姿勢を安定させることができる。
【００１４】
また、特許文献２や特許文献３には、獲物を誘うためのラトル音を発生さるために、ルアー内の空洞部に複数の小球型の移動重りを封入し、その衝突音による音響効果を狙ったルアーが開示されている。
【００１５】
以上のような従来のルアーに関する課題は、イカに限らず、その他の魚類を対象とした一般のルアーについても共通しており、上記のような小球型の重りにより重心移動を行う発明は、対象をイカに限らず、特許文献４〜９などに、一般的な魚類の釣りに用いるルアーに関する発明として多数開示されている。
【００１６】
しかし、このような衝突音を不快に思う釣り人も少なくなく、衝突音が魚類を誘う効果も定かではない。また、ルアー内の空洞部に封入した小球型重りの空洞部内壁への衝突により、ルアーが傷みやすく、寿命が短くなるという問題もある。さらに小球型移動重りを用いると、図９（ｂ）のように、沈下姿勢において移動重りが素早く頭頂部方向へ移動し、沈下速度が速くなってしまうのが一般的である。
【００１７】
また、同種類の魚類に限っても、浅場で釣る場合、深場で釣る場合、あるいはその中間の深さで釣る場合等、釣場・天候などの諸条件やどの辺の深さにいる魚類をターゲットにするかによっても、ルアーの重心移動の調節が重要となる。
【００１８】
【特許文献１】特開２００２−２０４６３３号公報
【特許文献２】特開２００５−５８１２４号公報
【特許文献３】特開２００５−８７１５６号公報
【特許文献４】特開２００９−５６２７号公報
【特許文献５】特開２００９−５６２８号公報
【特許文献５】特開２００２−２４２２９０号公報
【特許文献６】特開２００６−８３６７８号公報
【特許文献７】特許４８６１０７６号公報
【特許文献８】特開平９−１００５５５号公報
【特許文献９】特開平２００４２６号公報
【発明の概要】
【発明が解決しようとする課題】
【００１９】
そこで、本発明は、小球型の移動重りを用いずに重心移動を円滑に行って到達距離を稼ぎ、不快な衝突音を解消すると共に長寿命化を図り、サイクル回数を稼ぎつつも、適度な速度による沈下を実現し得るルアーを提供する。
【００２０】
さらに、本発明は、小球型の移動重りを用いない重心移動を行うに当たって、内部構造を適宜調節することにより、浅場用、深場用、あるいはその中間の深さ用（汎用）等、ターゲットとする深さに応じた重心移動が可能なルアーを提供する。
【課題を解決するための手段】
【００２１】
本発明に係るルアーは、頭部と尾部、背部と腹部を有し、内部に空洞部を形成した、小魚やエビを象ったルアーの本体部において、前記頭部側に設けた釣糸を接続するためのラインアイと、前記本体部の重心Ｇが該ラインアイ側に位置するように固定した固定錘と、
を具備し、前記空洞部に移動容易な粉体Ｐを封入したルアーであって、
前記腹部から前記背部方向に前記空洞部の内面に沿って仕切り壁を突出させて、該空洞部を頭部室と尾部室とに画し、該仕切り壁の上端部と該空洞部の背部内面間に、前記粉体Ｐが通過可能な移動通路を形成すると共に、該仕切り壁に前記粉体Ｐの通路孔を設けたことを特徴とする。
【００２２】
本発明に係るルアーは、前記本体部の前記頭部室と前記尾部室とを画する前記仕切り壁の厚さ・高さと突出位置を調整することにより、該記頭部室と前記尾部室のそれぞれの容積および前記移動通路の長さ・移動通路幅を自在に調整し、前記粉体Ｐの移動による該本体部の重心移動を制御することにより、該本体部の沈下速度を調整し得る。
【００２３】
本発明に係るルアーは、前記仕切り壁を頭部方向に傾斜させて突出させてもよい。
【００２４】
本発明に係るルアーは、前記仕切り壁の上端部から前記頭部方向に案内板を突起させて、該案内板と前記空洞部の背部内面間に、前記粉体Ｐが通過可能な移動通路を形成すると共に、前記頭部室内に、該仕切り壁と該案内板に封止される一方で、前記頭部室側に開放された貯留スペースを形成してもよい。
【００２５】
本発明に係るルアーは、前記仕切り壁を前記頭部側に前傾させると共に、該仕切り壁の前記背部側の表面を前記尾部室の底面から滑らかに接続させて立ち上げ、前記本体部の沈下姿勢において、前記粉体Ｐの前記移動通路への移動を円滑化し得る。
【００２６】
本発明に係るルアーは、前記仕切り壁を前記頭部側に前傾させると共に、該仕切り壁の前記背部側の表面が前記尾部室の底面から接続する接続部に、該尾部室の底面部から急峻に立ち上がる規制壁を設け、前記本体部の沈下姿勢において、前記粉体Ｐの前記移動通路への移動を規制し得る。
【００２７】
本発明に係るルアーは、前記粉体Ｐの粒径を３０μｍ乃至３００μｍとするのが好適であり、３０μｍ乃至１００μｍとするのがより好適である。
【００２８】
本発明に係るルアーは、前記移動通路幅を、２．３ｍｍ以上とするのが好適である。
【００２９】
本発明に係る魚類の釣り方法は、ルアーを用いた魚類の釣り方法であって、
上記の重心移動可能なルアーを準備するステップと、
前記ルアーの前記ラインアイに釣糸を接続するステップと、
前記ルアーを上昇姿勢にして、前記本体部の空洞内に封入した粉体Ｐを前記尾部室に移動させるステップと、
前記ルアーを遠投して、海面に着水させるステップと、
前記着水したルアーを、沈下姿勢で海底方向に沈下させるステップと、
前記沈下したルアーを、釣竿の動作により前記釣糸を介して前記上昇姿勢とし、上昇させるステップと、を含む。
【発明の効果】
【００３０】
本発明に係るルアーは、その姿勢に応じて粉体Ｐが移動通路を介して移動できるため、ルアー本体部の重心Ｇの位置移動を行うことができる。すなわち、ラインアイに釣糸を接続してルアー本体部を遠投する際に、尾部側に上記粉体Ｐを集中させ、ルアーの最大到達距離を大きくすることが可能である。
【００３１】
すなわち、ルアー本体部を遠投する前に、予め粉体Ｐを尾部室側に移動させておけば、遠心方向である尾部側にルアー本体部の重心Ｇを移動させることができ、従来のルアーより遠くまでルアー本体部を遠投することができる。この遠投の際に、ルアー本体部が加速度を失い、一定速度となっても、空洞部に設けた仕切り壁により粉体Ｐが頭部室側に移動することが規制されるので、重心Ｇを尾部側に維持することができる。
【００３２】
また、本発明に係るルアーは、従来のように小球型の移動重りを用いずに、粉体Ｐにより重心移動を行うので、不快な衝突音を解消することができる。さらに、小球型の移動重りが空洞部の内壁に衝突することもないので、重心移動の際に本体部を損傷することなく長寿命化を図ることができる。
【００３３】
本発明に係るルアーにおいて、遠投時に尾部室側に集中させた粉体Ｐは、最大到達地点において受ける反作用により、その一部が本体部の頭部側に移動し、固定錘との相乗効果で重心Ｇが頭部側に移動して、本体部は沈下姿勢を得ることができる。粉体Ｐは空洞部内を、移動通路を介して連続的、経時的に移動するので、上記反作用により初期移動した粉体Ｐの一部や固定錘により海中で本体部が沈下姿勢を得ると、粉体Ｐは更に継続的に頭部側へ移動して、沈下速度は増加する。このため、本発明に係るルアーは、着水後ゆっくりと沈下するが徐々に重心Ｇが頭部側に移動することにより沈下速度を増加させ、魚類を誘惑するチャンスを確保すると共にサイクル回数を確保することもできる。
【００３４】
本発明に係るルアーは、移動通路の断面を大きくし、あるいは仕切り壁を頭部方向に傾斜させることにより、本体部の沈下速度を増加させ、サイクル回数を増やすことができる。一方、移動通路の断面を小さくし、仕切り壁に通路孔を設けるなどして、粉体Ｐを適度に尾部室側にも分散させることにより、沈下速度を減少させて、魚の食い付き機会を増加させることもできる。すなわち、本発明に係るルアーは、移動通路の断面積の大小や、移動通路の長さ、空洞に設ける仕切り壁の位置や傾斜角度や形状等の設計により、沈下速度や沈下軌道を状況や好みに応じて自在に調整する事ができる。
【図面の簡単な説明】
【００３５】
【図１】本発明に係るルアーの側面断面図。
【図２】本発明の実施形態２における、ルアー本体部の側面断面図。
【図３】本発明の実施形態３に係る深場用のルアー本体部の側面断面図。
【図４】本発明の実施例１に係るルアー本体部の、（ａ）Ａ−Ａ断面図、（ｂ）Ｂ−Ｂ断面図。
【図５】本発明の実施形態４に係る浅場用のルアー本体部の側面断面図。
【図６】本発明に係るルアーを用いた魚類釣りにおけるルアーの軌跡の概略図。
【図７】本発明に係る、（ａ）海面付近（shallow）用ルアーの側面断面図、および、（ｂ）中間層用ルアーの側面断面図。
【図８】従来のルアー（餌木）の、（ａ）側面図、および、（ｂ）平面図。
【図９】（ａ）従来のルアーを用いた魚類釣りにおけるルアーの軌跡の概略図、（ｂ）小球型移動重りを擁するルアーを用いた魚類釣りにおけるルアーの軌跡の概略図。
【図１０】本発明の実施例１に係る深場用のルアー本体部の、（ａ）側面断面図、（ｂ）正面断面図。
【発明を実施するための形態】
【００３６】
＜Ｉ．本発明に係るルアーの基本的実施形態＞
以下、図面を参照しながら本発明に係るルアーの実施形態について説明する。以下の実施形態および実施例では、主にイカ釣りを例に挙げて説明するが、本発明のルアーはイカのみでなく、その他の釣り対象となる魚類にも適用可能である。なお、以下各図面を通して同一の構成要素には同一の符号を使用するものとする。
【００３７】
（実施形態１）
図１に示すように、本発明に係るルアー１は、主にイカ釣り用のルアー（餌木）として用いられる疑似餌であり、頭部１０ｈと尾部１０ｔ、背部１０ｂと腹部１０ｓを有する本体部１０の内部に空洞部３０を形成し、小魚やエビを象っている。
【００３８】
ルアー１の本体部１０は、頭部１０ｈ側に設けた釣糸７２を接続するためのラインアイ１２と、腹部１０ｓに、本体部１０の重心Ｇがラインアイ１２側（頭部１０ｈ側）に位置するように頭部１０ｈ側に固定した固定錘１４と、を具備する。そして、本体部１０の内部に形成した空洞部３０に、任意の方法で移動容易な粉体Ｐを封入する。例えば、背部１０ｂに設けた小孔２２より粉体Ｐを流入させ、接着剤などで小孔２２を封止する。
【００３９】
また、ルアー本体部１０の空洞部３０内に仕切り壁４０を突出させて、当該空洞部３０を頭部室３２と尾部室３４とに画し、この仕切り壁４０の上端部４２と背部１０ｂの空洞部３０側内壁面間に、上記粉体Ｐが通過可能な移動通路５０を形成する。
【００４０】
このような構成の本発明に係るルアー１は、その姿勢に応じて粉体Ｐが移動通路５０を介して移動できるため、ルアー本体部１０の重心Ｇの位置移動を行うことができる。従って、ラインアイ１２に釣糸７２を接続してルアー本体部１０を遠投する際に、尾部１０ｔ側に上記粉体Ｐを集中させることが可能である。ルアー本体部１０を遠投する前に、予め粉体Ｐを空洞部３０の尾部１０ｔ側（尾部室３４側）に移動させてから遠投するのが好適である。
【００４１】
また、図９に示すように、海面３０４に着水したルアー１が沈下する際は、本体部１０は頭部１０ｈ側を海底３０２に向けた沈下姿勢を取るのが好適であるが、遠投時に尾部室３４側に集中させた粉体Ｐは、最大到達地点において本体部１０の内壁から釣糸７２方向に受ける反作用により、少なくともその一部を頭部１０ｈ側に移動させ（以下、「初期移動」という。）、固定錘１４との相乗効果で重心Ｇを頭部１０ｈ側に移動させて沈下姿勢を得ることができる。このようにして海中で本体部１０が沈下姿勢を得ると、粉体Ｐは更に連続的、経時的に移動通路５０を介して頭部１０ｈ側へ移動することができ、沈下速度は徐々に増加する。すなわち、本実施形態１に係るルアー１の沈下時の軌跡は、図６に示すような放物線を描き、サイクル回数が増えるにつれて沈下速度が増す傾向となる。
【００４２】
尾部室３４から頭部室３２への粉体Ｐの移動をスムーズにするために、図１のように、仕切り壁４０を頭部１０ｈ方向に傾斜させるのが好ましい。これにより、ルアー本体部１０の沈下姿勢（前傾姿勢）において、頭部室３２に粉体Ｐがスムーズに移動しやすくなり、本体部１０の沈下速度を増加させることができる。そして、しゃくり上げ等の際の上昇姿勢においては、前傾した仕切り壁４０は尾部室３４への粉体Ｐ移動を阻止し、上昇姿勢後の沈下姿勢において素早く粉体Ｐを頭部室３２に集中させることができるので、沈下速度を増加させてサイクル回数を増やすことができる。
【００４３】
なお、「しゃくり上げ」とは、釣り人２００が釣竿７０を勢いよく上方にしゃくり上げて、釣糸７２を介してルアー本体部１０を海面３０４方向に略直角方向に引き上げ、上昇あるいは浮上させる動作をいい、主にイカ釣りの場合によく用いられる用語であるが、イカ以外の一般の魚類釣りでも用いられる釣り方法である。従って、本明細書では、広く魚類の釣り一般に用いられる意味で、「しゃくり上げ」という語を用いる。したがって、本明細書において、ルアー１の海面３０４方向への「上昇」とは、「しゃくり上げ」を含む全ての動作により生じる「上昇」を指し、釣糸７２の巻取り中に生じる沈下・上昇なども、上記「サイクル回数」に含まれるものとする。
【００４４】
あるいは上記サイクル回数を増やしたい場合とは逆に、天候や釣り場などの諸条件に対応して、沈下速度を遅くした方が、イカなど魚類を誘惑して本体部１０に抱き付かせる（食い付かせる）チャンス（以下、「食い付き機会」という。）が増えて好ましいと釣り人２００が考える場合もある。このような場合は、例えば仕切り壁４０の下部に粉体Ｐの通路孔５２を設けて（図１参照）、頭部室３２から尾部室３４へ粉体Ｐが移動するようにしてもよい。これにより、ルアー本体部１０の上昇姿勢において頭部室３２に集中した粉体Ｐを、通路孔５２を介して尾部室３４側に分散させることができ、次のサイクルにおける沈下速度を適度に抑えて、食い付き機会を増やすことができる。
【００４５】
以上のように、本発明に係るルアー１は、本体部１０の姿勢に応じて粉体Ｐを移動させることにより、本体部１０の重心Ｇの位置を適切に移動可能とした魚類釣り用ルアー１である。本発明のルアー１は、ルアー本体部１０を遠投する前に、予め粉体Ｐを尾部室３４側に移動させておけば、遠心方向である尾部１０ｔ側にルアー本体部１０の重心Ｇを移動させることができ、従来のルアー１００より遠くまでルアー本体部１０を遠投することができる。この遠投の際に、ルアー本体部１０が加速度を失い、一定速度となっても、仕切り壁４０により粉体Ｐが頭部室３２側に移動することが規制されるので、重心Ｇを尾部１０ｔ側に維持することができる。
【００４６】
また、本発明に係るルアー１は、従来のように小球型の移動重りを用いずに、粉体Ｐにより重心移動を行うので、不快な衝突音を解消することができる。さらに、小球型の移動重りが空洞部３０内壁に衝突することもないので、重心移動の際に本体部１０を損傷することなく長寿命化を図ることができる。
【００４７】
遠投した本体部１０が着水後、本体部１０は、初期移動した粉体Ｐの一部や固定錘１４により頭部１０ｈを海底３０２方向に向けて沈下するが、当該沈下姿勢において、遠投時に尾部室３４側に偏在した粉体Ｐは、通路孔５２を介して頭部室３２へ連続的に移動することができる。このように粉体Ｐが頭部室３２へ連続的に移動することにより、本体部１０の重心Ｇは連続的に頭部１０ｈ側に移動し、沈下速度を徐々に増すことができる。
【００４８】
したがって、本発明に係るルアー１は、サイクル回数を増やしたい場合、沈下速度を増加させるために移動通路５０の断面を大きくし、仕切り壁４０を頭部１０ｈ方向に前傾させるのが好適である。一方、食い付き機会を増加させたい場合は、沈下速度を抑えるために移動通路５０の断面を小さくしたり、仕切り壁４０のに通路孔５２を設けるなどして、粉体Ｐを適度に尾部室３４側にも分散させるように設計するのが好ましい。
【００４９】
次に、本発明に係るルアー１の他の実施形態（実施形態２）について、図２を用いて説明する。
【００５０】
（実施形態２）
本実施形態２に係るルアー１においても、腹部１０ｓから背部１０ｂ方向に空洞部３０の内面に沿って仕切り壁４０を頭部１０ｈ方向に前傾させて突出させることにより、空洞部３０を頭部室３２と尾部室３４と分離する。さらに本実施形態２では、図２のように、仕切り壁４０の上端部４２から頭部１０ｈ方向に案内板４４を突起させて、空洞部３０の背部１０ｂの内壁面と当該案内板４４間に、上記粉体Ｐが通過可能な移動通路５０を形成する。また、このように案内板４４を仕切り壁４０から突起させれば、頭部室３２内に、仕切り壁４０と案内板４４に封止されると同時に頭部室３２側に開放された貯留スペース３３を、上記移動通路５０と共に形成することができる。
【００５１】
このような本実施形態２に係るルアー１では、頭部１０ｈを尾部１０ｔの鉛直下方に位置させた、ルアー本体部１０の沈下姿勢において（沈下時）、尾部室３４に存する粉体Ｐが移動通路５０を通って、案内板４４が突起する頭部室３２方向に移動容易である。また、尾部１０ｔを頭部１０ｈの鉛直下方に位置させた、ルアー本体部１０の上昇姿勢において（しゃくり上げ時等）、頭部室３２に存する粉体Ｐは、貯留スペース３３に留置し易く、尾部１０ｔには移動しにくくなる。
【００５２】
このように、本実施形態２に係るルアー１では、しゃくり上げや巻き取り、巻き上げ等の動作により貯留スペース３３に粉体Ｐが貯留され、重心Ｇは沈下時の頭部１０ｈから貯留スペース３３側（尾部１０ｔ側）に僅かに移動する。しかし、しゃくり上げ等の動作が終了して、ルアー本体部１０が再び固定錘１４等により沈下姿勢を取れば、粉体Ｐは貯留スペース３３から頭部室３２に素早く移動することができ、重心Ｇも頭部１０ｈ側に再度移動して、ルアー本体部１０は速やかに沈下することができる。したがって、本実施形態２に係るルアー１は、サイクル回数を増やしたい場合により効果的である。
【００５３】
本実施形態２に係るルアー１においても、ルアー本体部１０を遠投する前に、予め粉体Ｐを尾部室３４側に移動させておけば、従来のルアー１００より遠くまでルアー本体部１０を遠投し得ることは言うまでもない。また、粉体Ｐにより重心移動を行うので、不快な衝突音を解消することができ、本体部１０の損傷を防いで長寿命化を図ることができることも実施形態１と同様である。さらに、しゃくり上げ等の動作が終了してルアー本体部１０が再度沈下姿勢に入っても、上記のように即座に粉体Ｐが貯留スペース３３から頭部室３２に移動し、ルアー本体部１０を速やかに沈下させることができる。したがって、ルアー本体部１０を遠投後、これを回収するまでに、沈下と上昇の回数（サイクル回数）を稼ぐことができ、イカ等の魚類が抱き付く機会（食い付き機会）を増加させることができる。
【００５４】
（実施形態３）
本実施形態３に係るルアー１は、実施形態２の変形例であり、イカ釣り用の「餌木」と呼ばれるルアー１である。図３に示すように、仕切り壁４０を頭部１０ｈ側に前傾させ、当該仕切り壁４０を尾部室３４の底面部から滑らかに接続させて立ち上げ、ルアー本体部１０の沈下姿勢において、粉体Ｐの移動通路５０への移動をより円滑となるようにした。すなわち、図３のように、尾部室３４の底面部から仕切り壁４０の上端部４２までを略直線状として、尾部室３４に存する粉体Ｐが頭部室３２へ移動容易にした。
【００５５】
本実施形態３のルアー１は、沈下姿勢における粉体Ｐの頭部１０ｈ側への移動がよりスムーズに行え、沈下速度を上げることができるので、海底３０２が深場である場合により好適である。すなわち、海底３０２が深場である場合は、沈下速度が上がっても、ルアー本体部１０が海底３０２に達するまでにイカが食い付く（抱き付く）時間が十分にあるので、岸壁３１０へルアー本体部１０を巻き取るまでの沈下浮上の回数（サイクル回数）を稼ぐのが有利である。本実施形態３のルアー１においては、スムーズに粉体Ｐが頭部１０ｈ側へ移動するので、ルアー本体部１０を急角度で海底３０２へ沈下させることができ、サイクル回数を稼いで釣果を挙げることが期待できる。
【００５６】
（実施形態４）
図５に断面を示す本実施形態４に係るルアー１も、上記実施形態２の変形例であり、仕切り壁４０を頭部１０ｈ側に前傾させるが、仕切り壁４０が尾部室３４の底面部から接続する接続部に、尾部室３４の底面部から急峻に立ち上がる規制壁４０２を設け、本体部１０の沈下姿勢において、上記粉体Ｐの移動通路５０への移動を抑制する。
【００５７】
本実施形態４のルアー１は、沈下姿勢における粉体Ｐの頭部１０ｈ側への移動が規制壁４０２により抑制されるので、海底３０２が浅場である場合に好適である。すなわち、海底３０２が浅場である場合は、ルアー本体部１０がゆっくりと海底３０２に達する方が、イカが食い付く（抱き付く）チャンスが増加して有利である。本実施形態４のルアー１においては、粉体Ｐの頭部１０ｈ側への移動が規制壁４０２により抑制されるので、ルアー本体部１０の海底３０２への沈下速度を下げることができ、沈下時におけるイカの食い付き（抱き付き）の誘惑時間を稼いで、釣果を挙げることが期待できる。
【００５８】
本実施形態４のルアー１は、規制壁４０２を設ける以外は、上記本実施形態３のルアー１と同様であってよい。封入する粉体Ｐや本体部１０のサイズ、材質なども同一であってよい。
【００５９】
次に、本発明に係るルアー１について、実施例を用いて更に詳細に説明する。
【実施例１】
【００６０】
本実施例１に係るルアー１は、実施形態２と略同形状であり、イカ釣り用の「餌木」と呼ばれるルアー１である。図１０（ａ）に示すように、仕切り壁４０を頭部１０ｈ側に前傾させ、当該仕切り壁４０を尾部室３４の底面部から滑らかに接続させて立ち上げ、ルアー本体部１０の沈下姿勢において、粉体Ｐの移動通路５０への移動を円滑となるようにした。また、仕切り壁４０の上端部４２から頭部１０ｈ方向に案内板４４を突起させて、上記粉体Ｐが通過可能な移動通路５０を形成すると共に、頭部室３２内に貯留スペース３３を形成した。
【００６１】
このような本実施例１に係るルアー本体部１０は、厚さ１．４ｍｍ〜３．０ｍｍのナイロン製であり、粉体Ｐ１５ｇを空洞部３０に封入したルアー本体部１０総重量は２８ｇであった。ここで、空洞部３０の容積（体積）は約１２ｃｃであるが、封入した鉄製の粉体Ｐ（質量１５ｇ）の体積は約５〜６ｃｃであり、ルアー本体部１０の尾部室３４の容積（体積）と略同一であった。なお、粉体Ｐ（鉄紛）は、粒径が約５０μｍで、本実施例１では、背部１０ｂに設けた小孔２２より空洞部３０内に流入させ、その後当該小孔を接着剤で封止した。
【００６２】
また、本実施例１に係るルアー本体部１０のサイズは、以下の通りであった（図２参照）。
・全長(頭部１０ｈ〜尾部１０ｔ) ・・・１０４．６６ｍｍ
・高さ（腹部１０ｓ〜背部１０ｂ）・・・３１．８３ｍｍ
・幅・・・・・・１７．９５ｍｍ
・粉体Ｐ・・・「鉄紛＃３００  Iron powder」（協和純薬工業株式会社）
【００６３】
（実験１）
図４（ａ）及び（ｂ）は、図１０に示す本実施例１に係る深場用のルアー本体部の、Ａ−Ａ断面図及びＢ−Ｂ断面図である。実験１として、空洞部３０に突起させた仕切り壁４０の上端部４２と、空洞部３０の背部１０ｂの内壁面との間隔５１（正面視における移動通路５０の最小幅；以下「移動通路幅」５１という。）を２．２９ｍｍとした（図４（ａ）参照）。この移動通路幅５１は好適幅よりは僅かに狭く、粉体Ｐの尾部室３４から頭部室３２への移動は最適とは言えないが、円滑であった。したがって、粉体Ｐの粒径が約３０μｍ〜１００μｍ程度と小さい場合は、上記背部１０ｂの内壁面との間隔を２．３ｍｍ以上とすれば、粉体Ｐは十分円滑に、尾部室３４と頭部室３２間を移動可能と期待できる。なお、上記のように、「移動通路幅」５１とは、仕切り壁４０の上端部４２と、空洞部３０の背部１０ｂの内壁面との、正面視における移動通路５０の最小幅（最小間隔）であり、必ずしも移動通路５０の最小幅ではない。しかし、両者の差異は高々０．１ｍｍ程度であり、本明細書では粉体Ｐの移動容易性を評価するために、正面視最小幅の「移動通路幅」５１を採用する。
【００６４】
＜ＩＩ． 他の実施形態＞
以上、主にイカ釣りに用いる餌木と呼ばれる疑似餌（ルアー）を例として、本発明に係るルアー１について詳細に説明したが、上述のように、本発明のルアー１はイカ以外の魚類の釣りにも適用できる。そこで、次に、イカ釣り以外の、一般的な魚類釣りのためのルアーについて、本発明に係るルアー１の他の実施形態を図７（ａ)、（ｂ）等を用いて説明する。
【００６５】
一般的な魚類釣りのためのルアー１は、イカ釣り用として図８に示したルアー（餌木）１００の、例えば繊維状部材２０など余り用いられない付属物もあるが、その他の目１８や、ラインアイ１２、錘１４、などの備品は略共通している場合が多い。また、掛針１６は主にイカ釣りの場合にイカを引っ掛けるためにあるので、一般の魚類釣り用の本発明に係るルアー１では、掛針１６を、例えば尾びれや掛け針等に付け替え可能とすればよい。
【００６６】
また、ルアー本体部１０の外形も異なる場合もあるが、概ね同様であり、小魚などを象った形状は共通している。本体部１０のサイズは、イカ用でも他の魚類用であっても、ターゲットとする魚の種類や成長度合い等による大きさに応じて、適宜選択するのが通常である。
【００６７】
本発明に係るルアー１は上述のように、例えば図１を参照して、粉体Ｐを空洞部３０に封入し、ルアー本体部１０の姿勢に応じて粉体Ｐを移動通路５０を介して頭部室３２と尾部室３４間を移動容易とし、ルアー本体部１０の重心Ｇの位置移動を可能とした点に大きな特徴がある。
【００６８】
しかし、ターゲット（釣り対象）の魚や釣り場などの条件、あるいは気象条件など、または釣り人２００の技術や好みの条件など、諸々の条件によって、求められるルアーの重心移動の形態は様々である。本発明に係る他の実施形態のルアー１は、図７（ａ)、（ｂ）に示すように、頭部室３２と尾部室３４とを画する仕切り壁４０の厚さ・高さと突出位置を調整することにより、頭部室３２と尾部室３４のそれぞれの容積と移動通路５０の長さ・移動通路幅５１を自在に調整し、粉体Ｐの移動による本体部１０の重心移動を制御することにより、本体部１０の沈下速度を調整可能とした、重心移動可能なルアーである。
【００６９】
（実施形態５）
図７（ａ)に示す、本実施形態５に係るルアー１は、仕切り壁４０の突出位置は上記実施形態と略同様に腹部１０ｓの中腹としたが、仕切り壁４０の厚さを頭部室３２方向に延伸させることにより、尾部室３４の容積はそのままに、頭部室３２の容積を極端に小さくした。仕切り壁４０の厚さを厚くしたので、移動通路５０の長さは長くなるが、移動通路幅５１（上記移動通路５０の正面視最小幅）を大きめに取れば、粉体Ｐは移動通路５０を経由して頭部室３２と尾部室３４間を容易に移動することができる。例えば、移動通路幅を３．０ｍｍとすればよい。
【００７０】
本実施形態５のルアー１の本体部１０は、上記実施形態と略同様に、頭部１０ｈ側に設けた釣糸７２を接続するためのラインアイ１２と、腹部１０ｓに、本体部１０の重心Ｇがラインアイ１２側（頭部１０ｈ側）に位置するように頭部１０ｈ側に固定した固定錘１４と、を具備する。本実施形態５のルアー１も、その姿勢に応じて粉体Ｐが移動通路５０を介して移動できるため、ルアー本体部１０の重心Ｇの位置移動を行うことができる。
【００７１】
すなわち、ルアー１の遠投時に尾部室３４側に集中させた粉体Ｐは、最大到達地点において受ける反作用により、少なくともその一部を頭部１０ｈ側に移動させ（初期移動）、固定錘１４との相乗効果で重心Ｇを頭部１０ｈ側に移動させて沈下姿勢を得ることができる。この沈下姿勢において、粉体Ｐは更に一定量が、連続的に移動通路５０を介して頭部１０ｈ側へ移動することができるが、小さく設計した頭部室３２の容積が一杯になると、粉体Ｐの頭部室３２への移動は止まる。頭部室３２に溜まった粉体Ｐと頭部１０ｈ側に固定した固定錘１４との重さが、尾部室３４側に留まった粉体Ｐの重さと競合して、ルアー本体部１０の重心Ｇが位置移動を行う。
【００７２】
例えば図９において、海面３０４から深さ１ｍ程度以内の深さの層を「シャロー（shallow）」などと呼ぶが、このような本実施形態５に係るルアー１は、このような浅い海面３０４付近を泳ぐ魚を狙う際に適している。遠投時に尾部室３４側に粉体Ｐを集中させれば、ルアー本体部１０を従来より遠くまで到達させることができるが、移動通路５０が長く、頭部室３２の容積が小さいため、多くの粉体Ｐが尾部室３４側に留まり、ルアー１の沈下速度を下げることができる。あるいは、尾部室３４側に留まる粉体Ｐを、頭部室３２に移動する粉体Ｐ及び固定錘１４とバランスするように調整して、容易に沈下しないで海面３０４付近を漂うように設計することもできる。
【００７３】
（実施形態６）
図７（ｂ)に示す、本実施形態６に係るルアー１は、仕切り壁４０の突出位置は上記実施形態５と略同様であるが、仕切り壁４０の厚さを実施形態５のルアーより薄くし、尾部室３４の容積はそのままに、頭部室３２の容積を広げた。実施形態５と比較すると、移動通路５０の長さは短くなり、頭部室３２が収容できる粉体Ｐの体積は大きくなる。本実施形態６に係るルアー１においても、移動通路幅５１を上記２．３ｍｍより十分大きい５．０ｍｍ程度に取れば、粒径３０μｍ乃至３００μｍ程度の粉体Ｐは移動通路５０を容易に通過して、頭部室３２と尾部室３４間を移動することができる。なお、本実施形態６の本体部１０のその他の構成は、上記実施形態５と同様であってよい。
【００７４】
本実施形態６のルアー１においても、遠投時に尾部室３４側に集中させた粉体Ｐは、最大到達地点において受ける反作用により、少なくともその一部が頭部１０ｈ側に初期移動し、固定錘１４との相乗効果で重心Ｇを頭部１０ｈ側に移動させ、本体部１０は沈下姿勢を得ることができる。この沈下姿勢において、粉体Ｐは、頭部室３２の容積一杯まで、連続的に移動通路５０を介して頭部１０ｈ側へ移動することができる。頭部室３２の容積を適切に設計して、粉体Ｐの少なくとも一部が尾部室３４側に留まるようにすれば、頭部室３２に移動した粉体Ｐと頭部１０ｈ側に固定した固定錘１４との重さと、尾部室３４側に留まった粉体Ｐの重さとの競合により、ルアー本体部１０の沈下速度を調整することができる。
【００７５】
＜ＩＩＩ．本発明に係るルアーを用いた魚類釣り方法＞
以上のような本発明に係るルアー１を用いた魚類釣り方法は、以下のようなステップで行うことができる。
【００７６】
すなわち、本発明に係るルアーを用いた魚類釣り方法は、上記のようなルアー１を用いた魚類の釣り方法であって、
（１）上記魚類釣り用ルアー１を準備するステップ、
（２）ルアー１のラインアイ１２に釣糸７２を接続するステップ、
（３）ルアー１を前記上昇姿勢にして、本体部１０の空洞部３０内に封入した粉体Ｐを尾部室３４に移動させるステップ、
（４）ルアー１を遠投して、海面３０４に着水させるステップ、
（５）海面３０４に着水したルアー１を沈下姿勢で海底３０２の方向に沈下させるステップ、
（６）沈下したルアー１を、しゃくり上げなどの釣竿７０の動作により、釣糸７２を介して上昇姿勢とし、上昇させるステップ、
を含む。
【００７７】
イカ釣りなどでしゃくり上げを行う際は、（５）の沈下させるステップ内で、あるいは（６）の上昇させるステップに移行する際に、釣糸７２をゆっくり巻き取って糸ふけを解消する操作を行うのが好ましい。また、しゃくり上げのような急激な上昇動作を行わない場合は、上昇姿勢においても沈下姿勢においても、釣人２００は釣糸７２の巻取り作業を適時行うことにより、ルアー１を手元に引き寄せることができる。
【００７８】
本明細書中では、上記のように、連続する（５）の沈下させるステップと、（６）の上昇させるステップを一纏めにして１サイクルとし、遠投後ルアー巻き取りまでのサイクルの繰返し回数をサイクル回数としたが、上記シャロー(shallow)に意図的にルアーを漂流させるなど、釣り方によってサイクルは判然としない場合もあり得る。しかし、例えば、上記本発明に係る実施形態５のルアーであれば、このような海面付近の釣り方法にも対応することができる。
【００７９】
以上、本発明のルアーについて説明したが、本発明は上記実施形態や実施例に限定されるものではない。一般には、サイクル回数が多いほど釣果が期待できるが、釣人によってはルアーがゆっくり沈下することを好む者もあり、また状況によっても必ずしも粉体Ｐを頭部側に集中し易くすれば良いというものでもない。それぞれの釣人が仕切り壁や空洞の形状・サイズ、粉体Ｐの種類や封入量を適宜選択し、必要な、あるいは好みの本発明に係るルアーを形成し、状況に応じて使い分けすることができる。
【００８０】
また、本発明に係るルアーを構成する本体部やこれに取付ける錘、掛針、繊維状部材などの付属物の材料、あるいは粉体Ｐの材料は、特に限定されず、適宜適切な材料を選択することが出来る。本体部や上記付属物のサイズや粉体Ｐの粒径も、漁場や季節・天候などの諸条件や、ターゲットとする魚類の種類などに応じて設計変更可能である。
【００８１】
その他、本発明は、その主旨を逸脱しない範囲で当業者の知識に基づき種々の改良、修正、変更を加えた態様で実施できるものである。
【産業上の利用可能性】
【００８２】
本発明に係るルアーは、海や川などに面した岸壁、陸地、及び船上から、主として海や川に生息する魚類を効果的に釣り上げるために利用することができる。
【符号の説明】
【００８３】
１：ルアー
１０：（ルアー）本体部
１０ｈ：頭部
１０ｔ：尾部
１０ｂ：背部
１０ｓ：腹部
１２：ラインアイ
１４：（固定）錘
１６：掛針
１８：目
２０：繊維状部材
２２：小孔
３０：空洞部
３２：頭部室
３３：貯留スペース
３４：尾部室
４０：仕切り壁
４０２：規制壁
４２：（仕切り壁の）上端部
４４：案内板
４６：（案内板の）先端部
５０：移動通路
５１：移動通路幅
５２：通路孔
７０：釣竿
７２：釣糸（ライン）
１００：（従来の）ルアー
２００：釣り人
３００：海
３０２：海底
３０４：海面
３１０：岸壁
【図１】
0006436540.tif 000002
【図２】
0006436540.tif 000003
【図３】
0006436540.tif 000004
【図４】
0006436540.tif 000005
【図５】
0006436540.tif 000006
【図６】
0006436540.tif 000007
【図７】
0006436540.tif 000008
【図８】
0006436540.tif 000009
【図９】
0006436540.tif 000010
【図１０】
0006436540.tif 000011